【手続補正書】
【提出日】平成18年5月23日(2006.5.23)
【手続補正１】
【補正対象書類名】特許請求の範囲
【補正対象項目名】全文
【補正方法】変更
【補正の内容】
【特許請求の範囲】
【請求項１】
ＩＰ通信網はアクセス制御装置を２以上含み、前記アクセス制御装置は２以上の端末と接続され、前記ＩＰ通信網は、前記アクセス制御装置内部に、通信回線経由で接続する端末のＩＣＳユーザアドレスを送信者ＩＣＳユーザアドレスとして登録しており、前記ＩＰ通信網を経由した端末間の通信方法において、送信側端末から送信されたＩＣＳユーザフレーム内の送信者ＩＣＳユーザアドレスが前記アクセス制御装置に前記送信者ＩＣＳユーザアドレスとして登録されている場合には、前記アクセス制御装置は、前記ＩＣＳユーザフレームをＩＣＳネットワークフレームに変換して前記ＩＰ通信網を通過させることにより前記ＩＰ通信網を経由した端末間通信を可能とし、送信側端末から送信された前記ＩＣＳユーザフレーム内の送信者ＩＣＳユーザアドレスが前記アクセス制御装置に前記送信元送信者ＩＣＳユーザアドレスとして登録されていない場合には、前記アクセス制御装置は、前記ＩＣＳユーザフレームを廃棄することにより前記ＩＰ通信網を経由した前記端末間通信を抑止し、前記発信側アクセス制御装置が、発信側ＩＣＳ論理端子及び前記ＩＣＳユーザフレームを基に着信側ＩＣＳ論理端子識別情報を含むＩＣＳネットワークフレームを形成して送出することを特徴とする前記ＩＰ通信網を用いた通信方法。
【請求項２】
複数のレコードを含む変換表と、２以上の論理端子Ａ及び１以上の論理端子Ｂとを有し、前記論理端子Ａは論理端子識別情報により識別され、前記レコードは少なくとも前記論理端子識別情報、送信者ＩＣＳユーザアドレス、受信者ＩＣＳユーザアドレス、着信ＩＣＳネットワークアドレスを含み、前記論理端子識別情報として発信ＩＣＳネットワークアドレス情報を含めることが可能であり、ＩＣＳユーザフレームを送受可能な通信回線１を前記論理端子Ａに接続可能であり、ＩＣＳネットワークフレームを送受可能な通信回線２を前記論理端子Ｂに接続可能であり、前記ＩＣＳユーザフレームは制御部１及びデータ部１で成り、前記制御部１は少なくとも前記送信者ＩＣＳユーザアドレス及び受信者ＩＣＳユーザアドレスを含み、前記ＩＣＳネットワークフレームは制御部２及びデータ部２で成り、前記制御部２は少なくとも前記着信ＩＣＳネットワークアドレスを含み、前記データ部２は前記ＩＣＳユーザフレームを格納することが可能であり、
論理端子Ａｘを経由して送信者ＩＣＳユーザアドレスＡ１、受信者ＩＣＳユーザアドレスＡ２を含む前記ＩＣＳユーザフレームを入力し、前記変換表内に論理端子識別情報Ａｘ、送信者ＩＣＳユーザアドレスＡ１、受信者ＩＣＳユーザアドレスＡ２、着信ＩＣＳネットワークアドレスＡ４が含まれるレコードを見出すと、前記ＩＣＳユーザフレームを含むＩＣＳネットワークフレームを形成し、前記ＩＣＳネットワークフレームの制御部２は前記着信ＩＣＳネットワークアドレスＡ４を含み、前記形成したＩＣＳネットワークフレームを前記通信回線２に送出するようになっていることを特徴とするアクセス制御装置。
【請求項３】
前記変換表内部の第ｍ番目のレコードが前記論理端子識別情報Ａｘ、前記送信者ＩＣＳユーザアドレスＡ１、受信者ＩＣＳユーザアドレスＡ２ｕ、着信ＩＣＳネットワークアドレスＡ４ｕを含み、前記変換表内部の第ｎ番目のレコードが前記論理端子識別情報Ａｘ、前記送信者ＩＣＳユーザアドレスＡ１、受信者ＩＣＳユーザアドレスＡ２ｖ、着信ＩＣＳネットワークアドレスＡ４ｖを含み、前記論理端子Ａｘを経由して前記送信者ＩＣＳユーザアドレスＡ１、前記受信者ＩＣＳユーザアドレスＡ２ｕを含む第１のＩＣＳユーザフレームを入力すると、前記着信ＩＣＳネットワークアドレスＡ４ｕを含む第１のＩＣＳネットワークフレームを形成して前記通信回線２に送出し、
前記論理端子Ａｘを経由して送信者ＩＣＳユーザアドレスＡ１、前記受信者ＩＣＳユーザアドレスＡ２ｖを含む第２のＩＣＳユーザフレームを入力すると、前記着信ＩＣＳネットワークアドレスＡ４ｖを含む第２のＩＣＳネットワークフレームを形成して前記通信回線２に送出するようになっており、前記受信者ＩＣＳユーザアドレスを変えて前記ＩＣＳネットワークフレームの着信ＩＣＳネットワークアドレスを変更できるようになっている請求項２に記載のアクセス制御装置。
【請求項４】
複数のレコードを含む変換表と、２以上の論理端子Ａ及び１以上の論理端子Ｂとを有し、前記論理端子Ａは論理端子識別情報により識別され、前記レコードは少なくとも前記論理端子識別情報、送信者ＩＣＳユーザアドレス、受信者ＩＣＳユーザアドレス、着信ＩＣＳネットワークアドレスを含み、前記論理端子識別情報として発信ＩＣＳネットワークアドレス情報を含めることが可能であり、ＩＣＳユーザフレームを送受可能な通信回線を前記論理端子Ａに接続可能であり、ＩＣＳネットワークフレームを送受可能な通信回線を前記論理端子Ｂに接続可能であり、
前記ＩＣＳユーザフレームは制御部１及びデータ部１で成り、前記制御部１は少なくとも前記送信者ＩＣＳユーザアドレス及び受信者ＩＣＳユーザアドレスを含み、前記ＩＣＳネットワークフレームは制御部２及びデータ部２で成り、前記制御部２は少なくとも前記着信ＩＣＳネットワークアドレスを含み、前記データ部２は前記ＩＣＳユーザフレームを格納することが可能であり、
前記変換表内部に論理端子識別情報Ａｘ、送信者ＩＣＳユーザアドレスＡ１、受信者ＩＣＳユーザアドレスＡ２、着信ＩＣＳネットワークアドレスＡ４を含むレコードがあり、前記論理端子識別情報Ａｘは発信ＩＣＳネットワークアドレスＡ３を含んでおり、前記論理端子Ｂを経由して前記ＩＣＳネットワークフレームを入力し、前記ＩＣＳネットワークフレームの制御部２が前記着信ＩＣＳネットワークアドレスＢ４を含み、前記ＩＣＳネットワークフレームに含まれるＩＣＳユーザフレームが送信者ＩＣＳユーザアドレスＢ１、受信者ＩＣＳユーザアドレスＢ２であり、前記送信者ＩＣＳユーザアドレスＡ１と前記受信者ＩＣＳユーザアドレスＢ２とが一致し、前記受信者ＩＣＳユーザアドレスＡ２と前記送信者ＩＣＳユーザアドレスＢ１とが一致し、前記論理端子識別情報Ａｘに含まれる前記発信ＩＣＳネットワークアドレスＡ３と前記着信ＩＣＳネットワークアドレスＢ４とが一致すると、
前記ＩＣＳネットワークフレームから復元したＩＣＳユーザフレームを、前記論理端子識別情報Ａｘにより特定される論理端子に接続する前記通信回線１に送出するようになっていることを特徴とするアクセス制御装置。
【請求項５】
前記変換表内部の第ｍ番目のレコードが前記論理端子識別情報Ａｘ、送信者ＩＣＳユーザアドレスＡ１ｘ、前記受信者ＩＣＳユーザアドレスＡ２、前記着信ＩＣＳネットワークアドレスＡ４を含み、前記論理端子識別情報Ａｘは発信ＩＣＳネットワークアドレスＡ３ｘを含んでおり、前記変換表内部の第ｎ番目のレコードが論理端子識別情報Ａｙ、送信者ＩＣＳユーザアドレスＡ１ｙ、受信者ＩＣＳユーザアドレスＡ２、着信ＩＣＳネットワークアドレスＡ４を含み、前記論理端子識別情報Ａｙは発信ＩＣＳネットワークアドレスＡ３ｙを含んでおり、前記論理端子Ｂを経由して第１のＩＣＳネットワークフレームを入力し、前記第１のＩＣＳネットワークフレームの制御部が着信ＩＣＳネットワークアドレスＢ４ｘを含み、前記第１のＩＣＳネットワークフレームに含まれる第１のＩＣＳユーザフレームが送信者ＩＣＳユーザアドレスＢ１、受信者ＩＣＳユーザアドレスＢ２ｘを含み、
前記送信者ＩＣＳユーザアドレスＡ１ｘと前記受信者ＩＣＳユーザアドレスＢ２ｘとが一致し、前記受信者ＩＣＳユーザアドレスＡ２と前記送信者ＩＣＳユーザアドレスＢ１とが一致し、前記発信ＩＣＳネットワークアドレスＡ３ｘと前記着信ＩＣＳネットワークアドレスＢ４ｘとが一致すると、前記第１のＩＣＳネットワークフレームから前記第１のＩＣＳユーザフレームを復元し、前記復元した第１のＩＣＳユーザフレームを前記第１の論理端子識別情報Ａｘにより特定される論理端子に接続している通信回線１ｘに送出し、
前記論理端子Ｂを経由して第２のＩＣＳネットワークフレームを入力し、前記第２のＩＣＳネットワークフレームの制御部が着信ＩＣＳネットワークアドレスＢ４ｙを含み、前記第２のＩＣＳネットワークフレームに含まれる第２のＩＣＳユーザフレームが送信者ＩＣＳユーザアドレスＢ１、受信者ＩＣＳユーザアドレスＢ２ｙを含み、
前記送信者ＩＣＳユーザアドレスＡ１ｙと前記受信者ＩＣＳユーザアドレスＢ２ｙとが一致し、前記受信者ＩＣＳユーザアドレスＡ２と前記送信者ＩＣＳユーザアドレスＢ１とが一致し、前記発信ＩＣＳネットワークアドレスＡ３ｙと前記着信ＩＣＳネットワークアドレスＢ４ｙとが一致すると、前記第２のＩＣＳネットワークフレームから前記第２のＩＣＳユーザフレームを復元し、前記復元した第２のＩＣＳユーザフレームを前記第２の論理端子識別情報Ａｙにより特定される論理端子に接続している通信回線１ｙに送出し、
前記ＩＣＳネットワークフレーム内部のＩＣＳユーザフレームの受信者ＩＣＳユーザアドレスを変更して、復元したＩＣＳユーザフレームの送出先を変更できるようになっている請求項４に記載のアクセス制御装置。
【請求項６】
前記論理端子Ａｘを経由して前記受信者ＩＣＳユーザアドレスの値がＡ２であるユーザフレームを入力し、前記変換表内に論理端子識別情報Ａｘ、受信者ＩＣＳユーザアドレスＡ２、着信ＩＣＳネットワークアドレスＡ４が含まれるレコードを見出すと、前記ＩＣＳユーザフレームを含み、前記着信ＩＣＳネットワークアドレスＡ４を含むＩＣＳネットワークフレームを形成して通信回線２に送出するようになっている請求項２に記載のアクセス制御装置。
【請求項７】
前記論理端子Ａｘを経由して前記受信者ＩＣＳユーザアドレスＡ２ｕである第１のＩＣＳユーザフレームを入力すると、着信ＩＣＳネットワークアドレスＡ４ｕを含む第１のＩＣＳネットワークフレームを形成して前記通信回線２に送出し、前記論理端子Ａｘを経由して前記受信者ＩＣＳユーザアドレスＡ２ｖである第２のＩＣＳユーザフレームを入力すると、前記着信ＩＣＳネットワークアドレスＡ４ｖを含む第２のＩＣＳネットワークフレームを形成して前記通信回線２に送出するようになっており、前記受信者ＩＣＳユーザアドレスを変えてＩＣＳネットワークフレームの着信ＩＣＳネットワークアドレスを変更できるようになっている請求項３に記載のアクセス制御装置。
【請求項８】
前記論理端子Ｂを経由して入力した前記ＩＣＳネットワークフレーム内部の前記ＩＣＳユーザフレーム内部の前記送信者ＩＣＳユーザアドレスＡ１と受信者ＩＣＳユーザアドレスＢ２とが一致し、前記論理端子識別情報Ａｘに含まれる前記発信ＩＣＳネットワークアドレスＡ３と着信ＩＣＳネットワークアドレスＢ４とが一致すると、前記復元したＩＣＳユーザフレームを前記論理端子識別情報Ａｘにより特定される論理端子を経由して前記通信回線１に送出するようになっている請求項４に記載のアクセス制御装置。
【請求項９】
前記第１のＩＣＳネットワークフレームを入力し、前記第１のＩＣＳネットワークフレーム内部の前記第１のＩＣＳユーザフレームが受信者ＩＣＳユーザアドレスＢ２ｘであり、前記送信者ＩＣＳユーザアドレスＡ１ｘと受信者ＩＣＳユーザアドレスＢ２ｘとが一致し、前記発信ＩＣＳネットワークアドレスＡ３ｘと着信ＩＣＳネットワークアドレスＢ４ｘとが一致すると、前記復元した第１のＩＣＳユーザフレームを前記第１の論理端子識別情報Ａｘにより特定される論理端子に接続している通信回線１ｘに送出し、
前記第２のＩＣＳネットワークフレームを入力し、前記第２のＩＣＳネットワークフレーム内部の前記第２のＩＣＳユーザフレームが受信者ＩＣＳユーザアドレスＢ２ｙであり、前記送信者ＩＣＳユーザアドレスＡ１ｙと受信者ＩＣＳユーザアドレスＢ２ｙとが一致し、前記発信ＩＣＳネットワークアドレスＡ３ｙと着信ＩＣＳネットワークアドレスＢ４ｙとが一致すると、前記復元した第２のＩＣＳユーザフレームを前記第２の論理端子識別情報Ａｙにより特定される論理端子に接続している通信回線１ｙに送出するようになっている請求項５に記載のアクセス制御装置。
【請求項１０】
変換表を含み、前記変換表は複数のレコードを含み、外部通信回線を接続する２以上のＩＣＳ論理端子を有し、ＩＣＳユーザフレームは前記外部通信回線と送受可能であり、内部通信回線を接続する１以上の端子を有し、前記端子に接続された前記内部通信回線にＩＣＳネットワークフレームを送受可能であり、
前記外部通信回線から前記ＩＣＳユーザフレームを入力し、前記ＩＣＳユーザフレームを入力したＩＣＳ論理端子識別情報及び前記ＩＣＳユーザフレームに含まれるＩＣＳ送信者ユーザアドレス及びＩＣＳ受信者ユーザアドレスを含むレコードを見出すと、前記ＩＣＳユーザフレームを含み、前記レコード内に含まれる着信ＩＣＳネットワークアドレスを含むＩＣＳネットワークフレームを形成して前記内部通信回線に送信し、
前記入力したＩＣＳユーザフレーム内の送信者ＩＣＳユーザアドレスを含むレコードを前記変換表内に見出せないときは当該ＩＣＳユーザフレームを廃棄し、
前記内部通信回線から前記ＩＣＳネットワークフレームを入力すると、前記ネットワークフレームの制御部に含まれる着信ＩＣＳネットワークアドレスと、前記ＩＣＳネットワークフレームのデータ部に含まれるＩＣＳユーザフレーム内に含まれる送信者ＩＣＳユーザアドレスと、受信者ＩＣＳユーザアドレスを含むレコードとを見出し、前記ＩＣＳネットワークフレームから前記ＩＣＳユーザフレームを復元して、前記レコード内に含まれるＩＣＳ論理端子識別情報により識別されるＩＣＳ論理端子を経て他の外部通信回線に送信するようになっていることを特徴とするアクセス制御装置。
【請求項１１】
前記外部通信回線からＩＣＳユーザフレームを入力し、前記ＩＣＳユーザフレームを入力したＩＣＳ論理端子識別情報と、前記ＩＣＳユーザフレームに含まれる受信者ＩＣＳユーザアドレスとを含むレコードを見出すと、前記ＩＣＳユーザフレームを含み、前記レコード内に含まれる着信ＩＣＳネットワークアドレスを含むＩＣＳネットワークフレームを形成して前記内部通信回線に送信し、前記内部通信回線から前記ＩＣＳネットワークフレームを入力して、前記ＩＣＳネットワークフレームのデータ部に含まれるＩＣＳユーザフレーム内に含まれる受信者ＩＣＳユーザアドレスを含むレコードを見出すと、前記ＩＣＳネットワークフレームから前記ＩＣＳユーザフレームを復元して、他の外部通信回線に送信するようになっている請求項１０に記載のアクセス制御装置。